(57)【要約】  文書の一部領域を選択し、選択された領域に含まれた少なくとも１つのハイパーリンクを分析し、分析されたハイパーリンクから、少なくとも１つのアドレスを抽出し、抽出されたアドレスをブックマークに挿入するハイパーリンクのアドレスをブックマークに挿入する方法である。
2013540319.tif 000002
【特許請求の範囲】
【請求項１】
文書の一部領域を選択する段階と、
前記文書の前記選択された領域に含まれた複数のハイパーリンクを分析する段階と、
前記分析されたハイパーリンクから、少なくとも１つのアドレスを抽出する段階と、
前記抽出されたアドレスをブックマークに挿入する段階と、を含むことを特徴とするハイパーリンクのアドレスをブックマークに挿入する方法。
【請求項２】
前記抽出されたアドレスをブックマークに挿入する段階は、前記抽出されたアドレスをグルーピングしてブックマークに挿入する段階を含むことを特徴とする請求項１に記載のハイパーリンクのアドレスをブックマークに挿入する方法。
【請求項３】
前記抽出されたアドレスをグルーピングしてブックマークに挿入する段階は、前記文書の情報を、前記グルーピングされたグループのタイトルとしてブックマークに挿入する段階を含むことを特徴とする請求項２に記載のハイパーリンクのアドレスをブックマークに挿入する方法。
【請求項４】
前記抽出されたアドレスをグルーピングしてブックマークに挿入する段階は、前記選択された領域を代表する単語を、前記グルーピングされたグループのタイトルとしてブックマークに挿入する段階を含むことを特徴とする請求項２に記載２のハイパーリンクのアドレスをブックマークに挿入する方法。
【請求項５】
前記抽出されたアドレスをグルーピングしてブックマークに挿入する段階は、前記抽出されたアドレスを、前記抽出されたアドレスに対応するハイパーリンクのハイパーテキストが、タイトルとして前記グルーピングされたグループに含まれるように、ブックマークに挿入する段階を含むことを特徴とする請求項に２記載のハイパーリンクのアドレスをブックマークに挿入する方法。
【請求項６】
前記抽出されたアドレスをグルーピングしてブックマークに挿入する段階は、前記抽出されたアドレスを、前記選択された領域に含まれたイメージのイメージ説明情報またはイメージファイル名が、タイトルとして前記グルーピングされたグループに含まれるように、ブックマークに挿入する段階を含むことを特徴とする請求項２に記載のハイパーリンクのアドレスをブックマークに挿入する方法。
【請求項７】
前記分析されたハイパーリンクから、少なくとも１つのアドレスを抽出する段階は、前記分析されたハイパーリンクからあらかじめ設定された条件によって、少なくとも１つのアドレスを抽出する段階を含むことを特徴とする請求項１に記載のハイパーリンクのアドレスをブックマークに挿入する方法。
【請求項８】
前記あらかじめ設定された条件は、ユーザ選好度であることを特徴とする請求項７に記載のハイパーリンクのアドレスをブックマークに挿入する方法。
【請求項９】
前記抽出されたアドレスをグルーピングしてブックマークに挿入する段階は、
前記抽出されたアドレスをグルーピングする段階と、
前記グループを複数のカテゴリーが設定されているブックマークのいずれか１つのカテゴリーに挿入する段階と、を含むことを特徴とする請求項２に記載のハイパーリンクのアドレスをブックマークに挿入する方法。
【請求項１０】
前記抽出されたアドレスをブックマークに挿入すれば、前記ブックマーク容量を超える場合、既存のブックマークに挿入された少なくとも１つのアドレスを削除する段階をさらに含むことを特徴とする請求項１に記載のハイパーリンクのアドレスをブックマークに挿入する方法。
【請求項１１】
文書の一部領域を選択する領域選択部と、
前記選択された領域に含まれた複数のハイパーリンクを分析し、前記分析されたハイパーリンクから、少なくとも１つのアドレスを抽出するハイパーリンク分析部と、
前記抽出されたアドレスをブックマークに挿入する制御部と、を含むことを特徴とするハイパーリンクのアドレスをブックマークに挿入する装置。
【請求項１２】
前記制御部は、前記抽出されたアドレスをグルーピングしてブックマークに挿入することを特徴とする請求項１１に記載のハイパーリンクのアドレスをブックマークに挿入する装置。
【請求項１３】
前記制御部は、前記文書の情報を、前記グルーピングされたグループのタイトルとしてブックマークに挿入することを特徴とする請求項１２に記載のハイパーリンクのアドレスをブックマークに挿入する装置。
【請求項１４】
前記制御部は、前記選択された領域を代表する単語を、前記グルーピングされたグループのタイトルとしてブックマークに挿入することを特徴とする請求項１２に記載のハイパーリンクのアドレスをブックマークに挿入する装置。
【請求項１５】
前記制御部は、前記抽出されたアドレスを、前記抽出されたアドレスに対応するハイパーリンクのハイパーテキストが、タイトルとして前記グルーピングされたグループに含まれるように、ブックマークに挿入することを特徴とする請求項１２に記載のハイパーリンクのアドレスをブックマークに挿入する装置。
【請求項１６】
前記制御部は、前記抽出されたアドレスを、前記選択された領域に含まれたイメージのイメージ説明情報またはイメージファイル名が、タイトルとして前記グルーピングされたグループに含まれるように、ブックマークに挿入することを特徴とする請求項１１に記載のハイパーリンクのアドレスをブックマークに挿入する装置。
【請求項１７】
前記ハイパーリンク分析部は、前記分析されたハイパーリンクからあらかじめ設定された条件によって、少なくとも１つのアドレスを抽出することを特徴とする請求項１１に記載のハイパーリンクのアドレスをブックマークに挿入する装置。
【請求項１８】
前記あらかじめ設定された条件は、ユーザ選好度であることを特徴とする請求項１７に記載のハイパーリンクのアドレスをブックマークに挿入する装置。
【請求項１９】
前記制御部は、前記抽出されたアドレスをグルーピングし、前記グループを、複数のカテゴリーが設定されているブックマークのいずれか１つのカテゴリーに挿入することを特徴とする請求項１２に記載のハイパーリンクのアドレスをブックマークに挿入する装置。
【請求項２０】
前記制御部は、前記抽出されたアドレスをブックマークに挿入すれば、前記ブックマーク容量を超える場合、既存のブックマークに挿入された少なくとも１つのアドレスを削除することを特徴とする請求項１１に記載のハイパーリンクのアドレスをブックマークに挿入する装置。
【発明の詳細な説明】
【技術分野】
【０００１】
本発明は、ハイパーリンクのアドレスをブックマークに挿入する方法及びその装置に係り、さらに詳細には、文書に含まれているハイパーリンクを抽出し、抽出されたハイパーリンクに含まれたアドレスをブックマークに挿入する方法及びその装置に係わる。
【背景技術】
【０００２】
現在、インターネット使用人口及びインターネットを介したコンテンツの活用が増大している。その場合、多様なウェブコンテンツへの効果的なアクセス及びその管理が必要である。また、コンバージェンス機能の強化によって、機器間の連結及びデータ共有が容易になっている。これによって、パーソナルコンピュータ以外にも、テレビ、モバイル機器など家電製品全般にインターネットの使用範囲が拡大している。その場合、家電機器に、適切な新しいウェブコンテンツの使用方法が必要である。
【発明の概要】
【発明が解決しようとする課題】
【０００３】
本発明が解決しようとする技術的課題は、パーソナルコンピュータ以外に、一般家電機器でも使用が容易なウェブコンテンツ・アクセス、探索及び保存方法を提供するが、具体的には、ネットサーフィン中に、ブックマークを容易に挿入して探索することができる方法であるウェブページの一部領域内のハイパーリンクを抽出し、ページを開かずとも、複数個のブックマークをグルーピングして挿入することができるハイパーリンクのアドレスをブックマークに挿入する方法及びその装置を提供するところにある。
【課題を解決するための手段】
【０００４】
前記技術的課題を解決するための本発明の一実施形態によって、ハイパーリンクのアドレスをブックマークに挿入する方法は、文書の一部領域を選択する段階と、前記選択された領域に含まれた複数のハイパーリンクを分析する段階と、前記分析されたハイパーリンクから、少なくとも１つのアドレスを抽出する段階と、前記抽出されたアドレスをブックマークに挿入する段階と、を含む。
【０００５】
前記技術的課題を解決するための本発明の一実施形態によって、ハイパーリンクのアドレスをブックマークに挿入する装置は、文書の一部領域を選択する領域選択部と、前記選択された領域に含まれた複数のハイパーリンクを分析し、前記分析されたハイパーリンクから、少なくとも１つのアドレスを抽出するハイパーリンク分析部と、前記抽出されたアドレスをブックマークに挿入する制御部と、を含む。
【図面の簡単な説明】
【０００６】
【図１】一実施形態によるハイパーリンクのアドレスをブックマークに挿入する方法に係わるフローチャートである。
【図２】本発明の一実施形態によるウェプページの例示画面を示す図面である。
【図３】本発明の一実施形態によるハイパーリンクを含んでいる選択された領域の構造を示す図面である。
【図４】本発明の一実施形態による、ブックマークに挿入されるグルーピングされたグループの構造を示す図面である。
【図５】本発明の一実施形態によるハイパーリンクのアドレスが挿入されたブックマークの例示を示す図面である。
【図６Ａ】図５の例示を示す図面である。
【図６Ｂ】図５の例示を示す図面である。
【図７】本発明の一実施形態による挿入されたブックマークを削除する方法に係わるフローチャートである。
【図８】本発明の一実施形態によるブックマーク削除方法に係わる例を示す図面である。
【図９】本発明の一実施形態によるハイパーリンクのアドレスをブックマークに挿入する装置に係わるブロックダイヤグラムを示す図面である。
【発明を実施するための形態】
【０００７】
添付された図面を参照しつつ、本発明の望ましい実施形態について詳細に説明する。
【０００８】
図１は、本発明の一実施形態によるハイパーリンクのアドレスをブックマークに挿入する方法に係わるフローチャートである。
【０００９】
図１を参照すれば、段階１１０で、ブックマーク挿入装置は、文書（document）の一部領域を選択する。文書は、ウェプページが望ましい。しかし、該文書は、ウェプページに限定されるものではなく、ハイパーリンク（hyperlink）を含んでいる文書であるならば、制限されるものはない。ハイパーリンクは、ハイパーテキスト文書内の１つの単語や句（phrase）、記号、イメージのような要素と、その文書内の他要素、または他のハイパーテキスト文書内の他要素との間の連結を意味する。ハイパーリンクは、ハイパーテキスト・リンク、ホットリンクともいう。いわば、動画、文章、音楽、絵、プログラム、ファイル、文章の特定アドレスなどを指定することができる。これは、ハイパーテキストの核心概念であり、ＨＴＭＬ（hypertext markup language）を始めとしたマークアップ言語で具現している。ユーザは、ハイパーテキスト文書内の下線を付した（underlined）要素、または文書内の残りの部分と異なる色に表示された要素（リンクされた要素）をクリックすることにより、ハイパーリンクを起動または活性化（activate）する。それにより、同じハイパーテキスト文書内の一要素と異なる要素との連結を選択して検索することができ、他のインターネットホストにあるワールドワイドウェブ（ＷＷＷ）サーバ上のハイパーテキスト文書内の他要素との連結を選択して検索することもできる。ハイパーリンクは、標準汎用文書生成言語（ＳＧＭＬ）やハイパーテキスト生成言語（ＨＴＭＬ）などの文書生成言語のタグを介してハイパーテキスト文書内に埋め込まれる。また、ここで、ハイパーテキストは、参照（ハイパーリンク）を介して、１つの文書から他の文書で直ちにアクセスすることができるテキストである。主に、コンピュータや他の電子機器によって表示される。
【００１０】
文書の一画面は、ブロックに分けられている。ブックマーク挿入装置のユーザは、文書の一部領域であるところのある１つのブロックを選択することができる。本発明の一実施形態で、ウェプページが意味的一貫性を有する単位としてのブロック（semantic block）に分けられ、そのブロック単位に拡大して見ることができるセマンティックブロック基盤ズーミング（semantic block-based zooming）技術が提供されもする。その場合、ユーザが所望するブロックを選択する場合、選択されたブロックがポップアップ（pop-up）されながらズーミングされる。
【００１１】
また、本発明の他の実施形態で、ユーザが所望する一部領域を任意に選択することができる。例えば、ユーザが入力装置を介してブロックなどを指定し、所望する領域を選択することができる。以下、図２を例として挙げて説明する。
【００１２】
図２は、本発明の一実施形態によるウェプページの例示画面を示す図面である。
【００１３】
図２を参照すれば、ウェプページ２００の画面は、７つの領域２０１〜２０７に分割されている。７つの領域２０１〜２０７で、ユーザによって、いずれか１つの領域、本図面では、第１領域２０１が選択され、第１領域２０１がフォーカシングされている。第１領域２０１は、３つのハイパーリンクである「Anycall」（korean mobile phone branｄ）、「Ｓｅｎｓ」（notebook computer series）、「ＹＥＰＰ」（digital audio player brand）を含んでいる。また、ウェプページ２００には、ブックマーク機能を行うことができるブックマークボタン２２０が具備されている。文書の一部領域が選択された状態で、ユーザがブックマークボタン２２０を活性化させる場合、図１の段階１２０が実行される。
【００１４】
段階１２０で、ブックマーク挿入装置は、ブックマーク機能が実行される場合、選択された領域に含まれた少なくとも１つのハイパーリンクを分析する。ブックマーク挿入装置は、選択された領域に含まれているハイパーリンクを抽出する。抽出されたハイパーリンクの個数は、単数でもあり、複数でもある。
【００１５】
図３は、本発明の一実施形態によるハイパーリンクを含んでいる選択された領域の構造を示す図面である。図３を参照すれば、選択された領域３００には、ブロック番号３０１、３つのハイパーリンク３０２〜３０４が含まれている。ブロック番号３０１は、場合によって省略されることもある。選択された領域３００が、図２の第１領域２０１に対応すると仮定する場合、ハイパーリンク３０２〜３０４は、図２の第１領域２０１に含まれているハイパーリンクである「Anycall」、「Ｓｅｎｓ」、「ＹＥＰＰ」に対応する。
【００１６】
その後、段階１３０で、ブックマーク挿入装置は、抽出されたハイパーリンクから、少なくとも１つのアドレスを抽出する。すなわち、ブックマーク挿入装置は、ハイパーリンクに含まれている連結アドレスを抽出する。例えば、一般的に、ハイパーリンクのＨＴＭＬタグは、「＜ｈｒｅｆ＝“リンクアドレス”＞リンク＜／ａ＞」によって構成されている。図２の「Anycall」ハイパーリンクのＨＴＭＬタグは、「＜ｈｒｅｆ＝“ｈｔｔｐ：／／ｋｒ．samsungmobile．ｃｏｍ／product／anycall／product／ｍａｉｎ．ｄｏ”＞anycall＜／ａ＞」によって構成されているが、ブックマーク挿入装置は、ハイパーリンクにリンクされているアドレスである「ｈｔｔｐ：／／ｋｒ．samsungmobile．ｃｏｍ／product／anycall／product／ｍａｉｎ．ｄｏ」を抽出する。また、ブックマーク挿入装置は、ハイパーリンクから全てのアドレスを抽出するのではなく、あらかじめ設定された条件によって、所望する少なくとも１つのアドレスのみを抽出することもできる。例えば、あらかじめ設定された条件は、ユーザ選好度でもあり、ユーザがあらかじめ入力したキーワードでもあり、ユーザが設定したアドレス個数の制限でもある。
【００１７】
段階１４０で、ブックマーク挿入装置は、抽出されたアドレスをブックマークに挿入する。もし、抽出されたハイパーリンクが単数個である場合、ブックマーク挿入装置は、所定のタイトル（title）で抽出されたアドレスをブックマークに挿入する。例えば、ブックマーク挿入装置は、抽出されたアドレスを含むハイパーリンクのハイパーテキストをタイトルとしてブックマークに挿入したり、あるいは選択された領域に含まれたイメージのイメージ説明情報またはイメージファイル名をタイトルとしてブックマークに挿入することができる。ブックマークに挿入されるという意味は、ブックマークがブックマークリストに追加されるということを意味する。
【００１８】
もし抽出されたハイパーリンクが複数個である場合、ブックマーク挿入装置は、抽出された複数のアドレスをグルーピングし、一回でブックマークに挿入する。ブックマーク挿入装置は、所定のグループタイトルでグループをブックマークに挿入し、グループに含まれた抽出されたアドレスも、所定のタイトルでグループに含まれるように、ブックマークに挿入する。グループのタイトルを設定する方法としては、ブックマーク挿入装置は、文書（例えば、ウェプページ）の情報を基にして、グループのタイトルを設定してブックマークに挿入したり、あるいは選択された領域を代表する単語（例えば、ブロック番号、選択された領域の上位カテゴリー情報など）を基にして、グループのタイトルを設定してブックマークに挿入する。ブックマークのグループタイトルには、リンクされた個数、すなわち、抽出されたアドレスの個数も表示することができる。抽出されたアドレスのタイトルを設定する方法としては、ブックマーク挿入装置は、抽出されたアドレスに対応するハイパーリンクのハイパーテキストをタイトルとしてブックマークに挿入したり、あるいは選択された領域に含まれたイメージのイメージ説明情報またはイメージファイル名をタイトルとしてブックマークに挿入することができる。その場合、ウェプページの一部領域内ハイパーリンクを抽出して複数個のウェプページリンクをオープンすることなしにも、複数個のブックマークをグルーピングして挿入することができる。
【００１９】
また、グルーピングの他の実施形態として、ブックマーク挿入装置は、抽出された複数のアドレスをグルーピングし、グループをあらかじめ複数のカテゴリーが設定されているブックマークのいずれか１つのカテゴリーに挿入する。
【００２０】
図４は、本発明の一実施形態による、ブックマークに挿入されるグルーピングされたグループの構造を示す図面である。
【００２１】
図４を参照すれば、グループ４００には、グループのタイトルとして、「ウェブサイトタイトル−ブロック番号（リンクの個数）」が設定されており、３つのハイパーリンク４０１，４０２，４０３が含まれている。ハイパーリンクのタイトルは、あらかじめ設定された条件によって付与されるのである。
【００２２】
図２を参照すれば、ユーザが第１領域２０１を選択し、ブックマークボタン２２０を活性化させた場合、ブックマーク挿入装置は、第１領域２０１のハイパーリンクである「Anycall」、「Ｓｅｎｓ」、「ＹＥＰＰ」を分析し、それらからアドレスを抽出し、抽出したアドレスをグルーピングする。その後、ブックマーク挿入メニュー２３０が活性化され、ブックマーク挿入メニュー２３０には、グループ２３１，２３５が表示される。「Samsung Mobile」グループ２３１のタイトルは、ウェプページの情報である「Samsung Mobile（３リンク）」に設定され、それぞれのハイパーリンク２３２〜２３４のタイトルは、第１領域２０１のハイパーリンクのハイパーテキストである「Anycall」、「Ｓｅｎｓ」、「ＹＥＰＰ」に設定されて図示されている。
【００２３】
図５は、本発明の一実施形態によるハイパーリンクのアドレスが挿入されたブックマークの例示を示す図面である。
【００２４】
図５を参照すれば、ブックマークリスト５０１〜５０３には、ブックマーク１ ５１０、ブックマーク２ ５２０、ブックマーク３ ５３０が挿入されている。ブックマーク１ ５１０には、１つのハイパーリンクが挿入されており、ブックマーク２ ５２０及びブックマーク３ ５３０には、複数のハイパーリンクがグルーピングされて挿入されている。ブックマークリスト５０１には、ブックマーク１がフォーカシングされている。ブックマークリスト５０２には、ブックマーク２ ５２０がフォーカシングされている。ブックマーク２ ５２０は、複数のハイパーリンクがグルーピングされて挿入されたので、ブックマーク２ ５２０がフォーカシングされる場合、グループの下位項目であるハイパーリンクがいずれも表示される。ブックマーク３ ５３０の場合も、ブックマーク２ ５２０と同一である場合である。その場合、ハイパーリンクが単数である場合には、ユーザは、個別ブックマークを選択することにより、リンクされたアドレスに移動することができ、ハイパーリンクが複数である場合には、ユーザは、グループに含まれた個別ハイパーリンクを選択することにより、リンクされたアドレスに移動することができる。
【００２５】
図６Ａ及び図６Ｂは、図５の例示を示す図面である。
【００２６】
図６Ａ及び図６Ｂを参照すれば、ブックマークリスト６００には、日付別に、カテゴリーである「Today」６０１、「２０１０．０９．２５」６０２及び「２０１０．０９．２１」６０３に分けられている。それぞれのカテゴリーには、ハイパーリンクがブックマークに挿入されている。「Today」６０１カテゴリーには、「Samsung Mobile」タイトルのブックマーク６１０、「Yahoo！korea」タイトルのブックマーク６２０及び「Ｄａｕｍ．life on ｄａｕｍ」タイトルのブックマーク６３０が表示されている。「Samsung Mobile」タイトルのブックマーク６１０、「Yahoo！korea」タイトルのブックマーク６２０は、３つのハイパーリンクがグルーピングされたブックマークであり、「Ｄａｕｍ．life on ｄａｕｍ」タイトルのブックマーク６３０は、１つのハイパーリンクのブックマークである。図６Ａでは、１つのハイパーリンクが挿入されたブックマークである「Ｄａｕｍ．life on ｄａｕｍ」タイトルのブックマーク６３０にフォーカシングされており、活性化される場合、挿入されたハイパーリンクのアドレスに文書が移動する。図６Ｂでは、「Yahoo！ｂｌｏｇ−ｔａｍａ」のハイパーリンク６２１、「Yahoo！news」のハイパーリンク６２２及び「Yahoo！ｗｅｂｔｏｏｎ」のハイパーリンク６２３が挿入された「Yahoo！korea」タイトルのブックマーク６２０で、「Yahoo！ｂｌｏｇ−ｔａｍａ」のハイパーリンク６２１がフォーカシングされおり、活性化される場合、「Yahoo！ｂｌｏｇ−ｔａｍａ」のハイパーリンク６２１のアドレスで文書が移動する。
【００２７】
図７は、本発明の一実施形態による挿入されたブックマークを削除する方法に係わるフローチャートである。
【００２８】
図７を参照すれば、段階７１０で、ブックマーク挿入装置は、ブックマーク挿入過程を遂行する。
【００２９】
段階７２０で、ブックマーク挿入装置は、図１による方法によって挿入されるブックマークの容量を計算する。その後、挿入されるブックマークの容量と、ブックマーク保存容量とのうちで残高容量を比較する。挿入されるブックマーク容量が、ブックマーク保存残高容量より多い場合、段階７３０に移動し、挿入されるブックマーク容量がブックマーク保存残高容量より少ない場合には、段階７５０に移動する。
【００３０】
段階７３０で、ブックマーク挿入装置は、挿入されるブックマーク容量がブックマーク保存残高容量より多い場合、必要なブックマーク保存容量を計算する。例えば、挿入されるブックマーク容量が２ＭＢであり、ブックマーク保存残高が１ＭＢである場合、必要なブックマーク容量は、１ＭＢであることを計算する。
【００３１】
段階７４０で、ブックマーク挿入装置は、必要なブックマーク保存容量ほど既存の保存されたブックマークを削除する。ユーザの選択によって選択されたブックマークが削除されもし、あるいは自動的に最も以前に保存されたブックマークが削除されもする。ユーザの選択によって、ブックマークが削除される方法は、ブックマーク挿入装置が含まれた装置が、ボタン式入力装置を支援する場合には、当該容量ほどグルーピングされて削除され、タッチ式入力装置を支援する場合には、当該容量ほど個別削除されもする。
【００３２】
図８は、本発明の一実施形態によるブックマーク削除方法に係わる例を示す図面である。
【００３３】
図８を参照すれば、図６Ａまたは図６Ｂのブックマークリストと同一の構成として、「２０１０．０９．２１」のカテゴリー８０３に係わる削除ボタン８０５、それぞれのブックマーク８０４に係わる削除ボタン８０６，８０７が図示されている。ユーザが「２０１０．０９．２１」のカテゴリー８０３に係わる削除ボタン８０５を活性化させる場合、カテゴリーに含まれた全てのブックマークが削除され、それぞれのブックマーク８０４に係わる削除ボタン８０６，８０７を活性化させる場合には、対応するそれぞれのブックマークだけ削除される。
【００３４】
段階７５０で、ブックマーク挿入装置は、ブックマーク挿入過程が実行され、選択されたブックマークを挿入する。
【００３５】
図９は、本発明の一実施形態によるハイパーリンクのアドレスをブックマークに挿入する装置に係わるブロックダイヤグラムを示す図面である。
【００３６】
図９を参照すれば、ブックマーク挿入装置９００は、領域選択部９１０、ハイパーリンク分析部９２０、制御部９３０及び表示部９４０を含む。
【００３７】
領域選択部９１０は、文書の一部領域を選択する。文書は、ウェプページが望ましい。しかし、文書は、ウェプページに限定されるものではなく、ハイパーリンクを含んでいる文書であるならば、制限されるものはない。ハイパーリンクとハイパーテキストとに係わる説明は、図２で説明したので、以下では省略する。
【００３８】
文書の一画面は、ブロックに分けられている。ブックマーク挿入装置９００のユーザは、文書の一部領域であるいずれか１つのブロックを選択することができる。本発明の一実施形態で、ウェプページが意味的一貫性を有する単位としてのブロックに分けられ、そのブロック単位に拡大して見ることができるセマンティックブロック基盤ズーミング技術が提供されもする。その場合、ユーザが所望するブロックを選択する場合、選択されたブロックが、ポップアップ（pop-up）されつつズーミングされる。
【００３９】
また、本発明の他の実施形態で、ユーザが所望する一部領域を任意に選択することができる。例えば、ユーザが、入力装置を介してブロックなどを指定して所望する領域を選択することができる。
【００４０】
ハイパーリンク分析部９２０は、ブックマーク機能が実行される場合、選択された領域に含まれた少なくとも１つのハイパーリンクを分析する。すなわち、ハイパーリンク分析部９２０、選択された領域に含まれているハイパーリンクを抽出する。抽出されたハイパーリンクの個数は単数でもあり、複数でもある。その後、ハイパーリンク分析部９２０は、抽出されたハイパーリンクから、少なくとも１つのアドレスを抽出する。すなわち、ハイパーリンク分析部９２０は、ハイパーリンクに含まれている連結アドレスを抽出する。また、ハイパーリンク分析部９２０は、ハイパーリンクから全てのアドレスを抽出するのではなく、あらかじめ設定された条件によって、所望する少なくとも１つのアドレスのみを抽出することもできる。例えば、あらかじめ設定された条件は、ユーザ選好度でもあり、ユーザがあらかじめ入力したキーワードでもあり、ユーザが設定したアドレス個数の制限でもある。
【００４１】
制御部９３０は、抽出されたアドレスをブックマークに挿入する。もし抽出されたハイパーリンクが単数個である場合、制御部９３０は、所定のタイトルに抽出されたアドレスをブックマークに挿入する。例えば、制御部９３０は、抽出されたアドレスを含むハイパーリンクのハイパーテキストを、タイトルとしてブックマークに挿入したり、あるいは選択された領域に含まれたイメージのイメージ説明情報またはイメージファイル名を、タイトルとしてブックマークに挿入することができる。ブックマークに挿入されるという意味は、ブックマークがブックマークリストに追加されるということを意味する。
【００４２】
もし抽出されたハイパーリンクが複数個である場合、制御部９３０は、抽出された複数のアドレスをグルーピングし、一回でブックマークに挿入する。制御部９３０は、所定のグループタイトルでグループをブックマークに挿入し、グループに含まれた抽出されたアドレスも、所定のタイトルでグループに含まれるように、ブックマークに挿入する。グループのタイトルを設定する方法としては、制御部９３０は、文書（例えば、ウェプページ）の情報を基にして、グループのタイトルを設定してブックマークに挿入したり、あるいは選択された領域を代表する単語（例えば、ブロック番号、選択された領域の上位カテゴリー情報など）を基にして、グループのタイトルを設定してブックマークに挿入する。ブックマークのグループタイトルには、リンクされた個数、すなわち、抽出されたアドレスの個数も表示することができる。抽出されたアドレスのタイトルを設定する方法としては、制御部９３０は、抽出されたアドレスに対応するハイパーリンクのハイパーテキストをタイトルとしてブックマークに挿入したり、あるいは選択された領域に含まれたイメージのイメージ説明情報またはイメージファイル名を、タイトルとしてブックマークに挿入することができる。その場合、ウェプページの一部領域内ハイパーリンクを抽出して複数個のウェプページリンクをオープンせずに、複数個のブックマークをグルーピングして挿入することができる。
【００４３】
また、グルーピングの他の実施形態で、制御部９３０は、抽出された複数のアドレスをグルーピングし、グループをあらかじめ複数のカテゴリーが設定されているブックマークのいずれか１つのカテゴリーに挿入する。
【００４４】
制御部９３０は、挿入されるブックマークの容量を計算し、挿入されるブックマークの容量とブックマーク保存容量とのうち残高容量を比較する。制御部９３０は、挿入されるブックマーク容量がブックマーク保存残高容量より多い場合、必要なブックマーク保存容量を計算する。例えば、挿入されるブックマーク容量が２ＭＢであり、ブックマーク保存残高が１ＭＢである場合、必要なブックマーク容量は、１ＭＢであることを計算する。その後、制御部９３０は、必要なブックマーク保存容量ほど既存の保存されたブックマークを削除する。ユーザの選択によって選択されたブックマークが削除されもし、あるいは自動的に最も以前に保存されたブックマークが削除されることもある。ユーザの選択によって、ブックマークが削除される方法は、ブックマーク挿入装置９００が含まれた装置がボタン式入力装置を支援する場合には、当該容量ほどグルーピングされて削除され、タッチ式入力装置を支援する場合には、当該容量ほど個別削除されもする。
【００４５】
表示部９４０は、ブックマークリストを表示する。
【００４６】
以上で説明したようなハイパーリンクのアドレスをブックマークに挿入する方法はまた、コンピュータで読み取り可能な記録媒体にコンピュータで読み取り可能なコードとして具現することが可能である。コンピュータで読み取り可能な記録媒体は、コンピュータシステムによって読み取り可能なデータが保存される全ての種類の記録媒体を含む。コンピュータで読み取り可能な記録媒体の例としては、ＲＯＭ（read-only memory）、ＲＡＭ（random-access memory）、ＣＤ（compact disc）−ＲＯＭ、磁気テープ、フロッピー（登録商標）ディスク、光データ保存装置などがある。また、コンピュータで読み取り可能な記録媒体は、ネットワークに連結されたコンピュータシステムに分散され、分散方式で、コンピュータで読み取り可能なコードが保存されて実行される。そして、前記ディスク管理方法を具現するための機能的な（function）プログラム、コード及びコードセグメントは、本発明が属する技術分野のプログラマによって容易に推論されるのである。
【００４７】
以上、本発明について、その望ましい実施形態を中心に説明した。本発明が属する技術分野で当業者であるならば、本発明が本発明の本質的な特性から外れない範囲で変形された形態に具現されるということを理解することができるであろう。従って、開示された実施形態は、限定的な観点ではなく、説明的な観点から考慮されなければならない。本発明の範囲は、前述の説明ではなく、特許請求の範囲に示されており、それと同等な範囲内にある全ての差異は、本発明に含まれたものであると解釈されなければならないのである。
【符号の説明】
【００４８】
２００    ウェプページ
２０１〜２０７    領域
３０２〜３０４，４０１〜４０３    ハイパーリンク
５０１〜５０３    ブックマークリスト
５１０    ブックマーク１
５２０    ブックマーク２
５３０    ブックマーク３
６００    ブックマークリスト
６１０〜６３０    ブックマーク
９００    ブックマーク挿入装置
９１０    領域選択部
９２０    ハイパーリンク分析部
９３０    制御部
９４０    表示部
【図１】
2013540319.tif 000003
【図２】
2013540319.tif 000004
【図３】
2013540319.tif 000005
【図４】
2013540319.tif 000006
【図５】
2013540319.tif 000007
【図６Ａ】
2013540319.tif 000008
【図６Ｂ】
2013540319.tif 000009
【図７】
2013540319.tif 000010
【図８】
2013540319.tif 000011
【図９】
2013540319.tif 000012
【国際調査報告】
2013540319.tif 000013
2013540319.tif 000014